(57)【要約】【課題】照明器具の設置作業を容易にし、作業時間を短縮する照明装置を提供する。【解決手段】照明装置は、投影式の照明を行う照明器具２０と、照明器具２０による照明対象面における照明領域を推定し、推定した照明領域を照明対象面に投影により表示する領域表示装置１０と、照明器具２０に備えられた保持部２２と、領域表示装置１０に備えられ、保持部２２に着脱可能に保持される被保持部１６とを備える。【選択図】図１
2016162694.tif 000002
【特許請求の範囲】
【請求項１】
投影式の照明を行う照明器具と、
前記照明器具による照明対象面における照明領域を推定し、推定した照明領域を前記照明対象面に投影により表示する領域表示装置と、
前記照明器具に備えられた保持部と、
前記領域表示装置に備えられ、前記保持部に着脱可能に保持される被保持部とを備える
照明装置。
【請求項２】
前記領域表示装置は、前記照明器具の画角、あおり角、およびアスペクト比の少なくとも１つと、前記照明器具から前記照明対象面までの距離とに基づいて前記照明領域を推定する
請求項１に記載の照明装置。
【請求項３】
前記領域表示装置は、推定した前記照明領域を、前記被保持部が前記保持部に保持された状態で、投影することにより前記照明対象面に表示する
請求項１または２に記載の照明装置。
【請求項４】
前記領域表示装置は、前記照明器具がオフ状態であっても前記照明装置とは異なる電源により動作する
請求項１〜３の何れか１項に記載の照明装置。
【請求項５】
前記領域表示装置は、バッテリを有し、前記バッテリにより動作する
請求項１〜４の何れか１項に記載の照明装置。
【請求項６】
前記被保持部は、前記領域表示装置の光軸と前記照明器具の光軸とが一平面に含まれるように、前記保持部に固定される
請求項１〜５の何れか１項に記載の照明装置。
【請求項７】
前記被保持部は、前記領域表示装置に固定された凹部および凸部の一方を有し、
前記保持部は、前記照明器具に固定された凹部および凸部の他方を有し、
前記凹部は、前記凸部と嵌合した状態で前記凸部を固定するための、ネジ穴およびネジを有する
請求項１〜６の何れか１項に記載の照明装置。
【請求項８】
前記凸部の外面は、第１基準面と第２基準面とを含み、
前記凹部の内面は、前記第１基準面と当接可能な第３基準面と、前記第２基準面と当接可能な第４基準面とを有し、
前記第１基準面および前記第３基準面はそれぞれ、前記領域表示装置の光軸または前記照明器具の光軸と略平行であり、
前記第２基準面および前記第４基準面はそれぞれ、前記領域表示装置の光軸および前記照明器具の光軸を含む平面と略垂直である
請求項７に記載の照明装置。
【請求項９】
前記領域表示装置および前記照明器具の一方は、前記照明器具から前記照明対象面までの前記距離を測定する測距部を備える
請求項２〜８の何れか１項に記載の照明装置。
【請求項１０】
前記測距部は、レーザ光線を用いて前記距離を測定する
請求項９に記載の照明装置。
【請求項１１】
前記領域表示装置は、
前記照明器具を識別する識別情報、および、前記照明器具から前記照明対象面までの距離を示す距離データを受け付ける受付部と、
前記識別情報に対応させて、前記照明器具の特性を示すパラメータとして、画角、あおり角およびアスペクト比の少なくとも１つを記憶するメモリと、
前記受付部に受け付けられた識別情報に対応する前記パラメータをメモリから読み出し、
当該パラメータおよび前記受付部に受け付けられた距離データとに基づいて、前記照明領域を推定する推定部とを備える
請求項１〜１０の何れか１項に記載の照明装置。
【請求項１２】
照明器具による照明対象面における照明領域を推定する推定部と、
推定された照明領域を前記照明対象面に投影により表示する表示部と、
前記照明器具に備えられた保持部に着脱可能に保持される被保持部とを備える
領域表示装置。
【請求項１３】
照明器具であって、
投影による照明を行う照明部と、
前記照明器具による照明対象面における照明領域を推定して当該照明領域を前記照明対象面に投影により表示する領域表示装置を、着脱可能に保持する保持部とを備え、
前記照明器具を識別する識別情報を、前記保持部に保持された前記領域表示装置に通知する
照明器具。
【発明の詳細な説明】
【技術分野】
【０００１】
本発明は、照明器具と領域表示装置とを備える照明装置、その領域表示装置および照明器具に関する。
【背景技術】
【０００２】
特許文献１は、ＶＵＩ（Virtual User Interface）機能を有するレーザ光走査型の投影装置を開示している。この投影装置は、光を投射する投射装置と、投射装置と分離して配置される検出装置とを備える。検出装置は、反射光を検出する検出可能領域内に投射領域の位置を設定させるための通知光を被投射面に出射することを開示している。これにより、投射装置と検出装置とが分離して配置していても、投射装置から投射される光の反射光を検出装置が検出することができ、通知光により検出可能領域をユーザに知らしめる。
【０００３】
特許文献２は、検出対象物の画像上の位置を取得するプロジェクタにおいて、投影装置と検出装置とを別々に分離して設置する際にも、投影装置に対して適切な位置および方向を有した状態で検出装置を設置することが可能なプロジェクタを開示している。
【先行技術文献】
【特許文献】
【０００４】
【特許文献１】特開２０１４−２０６６３４号公報
【特許文献２】特開２０１４−２１９７３８号公報
【発明の概要】
【発明が解決しようとする課題】
【０００５】
特許文献１に開示された投影装置は、通知光によりＶＵＩにおける検出可能領域をユーザに知らしめる。しかし、投影式の照明器具を新たに設置するとき、例えば、１つの壁全面を照明領域に設定する場合や、ショーウィンドウの枠内全体を照明領域に設定する場合において、照明領域を精度よく容易に位置決めすることが困難である。
【０００６】
特許文献２のプロジェクタは、投影装置に対して適切な位置および方向を有した状態で検出装置を設置することを可能にしている。しかし、照明器具としての投影装置そのものの設置を、精度よく容易に位置決めすることは困難である。
【０００７】
投影式の照明器具は、１つの壁全面を照明領域に設定する場合や、壁の特定部分を照明領域に設定する場合や、ショーウィンドウの枠内全体を照明領域に設定する場合が多い。このような設定を満たすには、照明領域の４辺をｍｍ単位で誤差なく位置合わせすることが要求される。照明器具の設置工事において、特許文献１および特許文献２と比べて、照明器具の設置には高精度の位置合わせが要求される。特許文献１および特許文献２は、この要求を容易には満たせない。
【０００８】
本発明は、高い精度を要求される照明器具の設置において作業を容易にし、作業時間を短縮する照明装置、領域表示装置および照明器具を提供することを目的とする。
【課題を解決するための手段】
【０００９】
上記目的を達成するために、本発明に係る照明装置の一形態は、投影式の照明を行う照明器具と、前記照明器具による照明対象面における照明領域を推定し、推定した照明領域を前記照明対象面に投影により表示する領域表示装置と、前記照明器具に備えられた保持部と、前記領域表示装置に備えられ、前記保持部に着脱可能に保持される被保持部とを備える。
【００１０】
本発明に係る領域表示装置の一形態は、照明器具による照明対象面における照明領域を推定する推定部と、推定された照明領域を前記照明対象面に投影により表示する表示部と、前記照明器具に備えられた保持部に着脱可能に保持される被保持部とを備える。
【００１１】
本発明に係る照明器具の一形態は、投影による照明を行う照明部と、前記照明器具による照明対象面における照明領域を推定して当該照明領域を前記照明対象面に投影により表示する領域表示装置を、着脱可能に保持する保持部とを備え、前記照明器具を識別する識別情報を、前記保持部に保持された前記領域表示装置に通知する。
【発明の効果】
【００１２】
本発明に係る照明装置、領域表示装置および照明器具によれば、高い精度を要求される照明器具の設置において作業を容易にし、作業時間を短縮することができる。
【図面の簡単な説明】
【００１３】
【図１】図１は、実施の形態における照明装置の構成例および模式的な照明対象面を示す図である。
【図２】図２は、実施の形態における照明装置の正面図および側面図の一例を示す図である。
【図３】図３は、実施の形態における照明装置の正面図および側面図の他の例を示す図である。
【図４】図４は、実施の形態における照明装置の構成例を示すブロック図である。
【図５】図５は、メモリに記憶された照明器具データの例を示す図である。
【図６】図６は、実施の形態における照明装置の他の構成例を示すブロック図である。
【図７】図７は、実施の形態における照明装置のさらに他の構成例を示すブロック図である。
【発明を実施するための形態】
【００１４】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１５】
（実施の形態１）
［照明装置の概略構成例］
図１は、実施の形態における照明装置１の構成例および模式的な照明対象面を示す図である。同図の照明装置１は、領域表示装置１０、被保持部１６、照明器具２０、保持部２２を備える。
【００１６】
照明器具２０は、投影式の照明を行う。照明器具２０は、調光、調色などの機能に加えて、投影式なので文字や映像を含めて照明する機能を有する。
【００１７】
照明器具２０による照明対象面は、壁面の全部または一部、ショーウィンドウの枠内全部または一部、床面の全部または一部、天井の全部または一部など、設置環境およびユーザの要望に応じて定められる。図１では、照明対象面が１つの壁面の全部である例を示している。図１の破線は、照明器具２０による照明光を模式的に表している。図１では、照明器具２０による照明領域と、１つの壁面全体（つまり照明対象面）とがぴったりと合っている。照明器具２０は、例えば、天井に吊り下げ式に設置される。設置時に照明器具２０の電源が未配線である場合は、設置位置の決定が極めて困難になる。
【００１８】
照明器具２０の設置工事では、例えば仮設置を経て本設置がなされる。仮設置では、照明領域を照明対象面に合わせるようにおおよその設置位置、設置角度等が決定され、いくらかの調整幅を持たせた状態で仮に設置される。本設置では、仮設置された状態で、設置位置、設置角度、台形補正等の微調整することにより、照明領域を照明対象面にぴったり合わせる。
【００１９】
保持部２２は、照明器具２０に備えられ、領域表示装置１０の被保持部１６を保持することにより、領域表示装置１０を着脱可能に保持する。
【００２０】
被保持部１６は、領域表示装置１０に備えられ、保持部２２に着脱可能に保持される。
【００２１】
領域表示装置１０は、照明器具２０による照明対象面における照明領域を推定し、推定した照明領域を照明対象面に投影により表示する。領域表示装置１０は、照明器具２０の設置工事において、保持部２２に被保持部１６が保持された状態で、つまり、照明器具２０に領域表示装置１０が保持された状態で用いられる。照明器具２０の設置工事完了後に、領域表示装置１０は照明器具２０から取り外される。
【００２２】
領域表示装置１０の投影による表示は、例えば、単色の矩形領域を投影式に照明することによる。図１における実線は、領域表示装置１０による表示光を表している。領域表示装置１０は、文字、映像等の表示機能を有する必要がなく、領域表示装置１０を低コストで製造できる。
【００２３】
領域表示装置１０は、例えば、照明器具２０の上記の仮設置における設置位置、設置角度の決定する際に、推定した照明領域を照明対象面に投影により表示する。これにより、仮設置の精度が大きく向上し、仮設置の失敗を防止し、本設置の微調整を容易にする。また、設置工事において、照明器具２０に電源線が接続される前の段階であっても、領域表示装置１０により適切な位置へ精度の高い仮設置を可能にする。
【００２４】
［照明装置１の構成例］
次に、照明装置１のより具体的な構成例について説明する。
【００２５】
図２は、実施の形態における照明装置の正面図および側面図の一例を示す図である。図３は、実施の形態における照明装置の正面図および側面図の他の例を示す図である。
【００２６】
図２、図３において、領域表示装置１０は、本体１０ａおよび被保持部１６を有する。
【００２７】
本体１０ａは、表示部１５および測距部１２を有する。図２、図３の例では、本体１０ａは、円筒型であり、照明器具２０よりも小型であり、被保持部１６の着脱が容易になっている。
【００２８】
表示部１５は、制御部１４（つまり推定部）が推定した照明領域を照明対象面に投影により表示する。
【００２９】
測距部１２は、照明器具２０と照明対象面との距離を測定する。測距部１２は、例えばレーザ光線を用いて距離を測定する。
【００３０】
被保持部１６は、複数の電極１６ａと、領域表示装置１０の本体１０ａに固定された凹部および凸部の一方とを有する。図２、図３では、被保持部１６が凸部を有している。凸部の外面は、第１基準面１６ｐ１と第２基準面１６ｐ２とを含む。
【００３１】
複数の電極１６ａは、被保持部１６が保持部２２に保持された状態で、保持部２２の電極２２ａに接続され、照明器具２０から領域表示装置１０へのＩＤつまり照明器具２０を識別する識別情報の送信に用いられる。
【００３２】
第１基準面１６ｐ１は、被保持部１６が保持部２２に保持された状態で、横方向基準面ｐ１に略平行な面である。ただし、図２、図３では、被保持部１６が保持部２２に保持された状態で、第１基準面１６ｐ１は横方向基準面ｐ１に含まれる。横方向基準面ｐ１は、領域表示装置１０の光軸および照明器具２０の光軸を含む平面と平行な面である。この横方向基準面ｐ１は、領域表示装置１０の光軸と、照明器具２０の光軸とを一平面内に含ませるための基準となる面である。
【００３３】
第２基準面１６ｐ２は、被保持部１６が保持部２２に保持された状態で、奥行き方向基準面ｐ２と略平行な面である。ただし、図２、図３では、被保持部１６が保持部２２に保持された状態で、第２基準面１６ｐ２は奥行き方向基準面ｐ２に含まれる。奥行き方向基準面ｐ２は、領域表示装置１０の光軸または照明器具２０の光軸と略垂直な面である。この奥行き方向基準面ｐ２は、領域表示装置１０の表示部１５における発光位置と、照明器具２０の照明部２１における発光位置とを光軸方向で一致させる基準となる。
【００３４】
照明器具２０は、本体２０ａと保持部２２とを有する。
【００３５】
本体２０ａは、照明部２１を有する。
【００３６】
照明部２１は、照明対象面に対して投影式の照明を行う。
【００３７】
保持部２２は、複数の電極２２ａと、照明器具に固定された凹部および凸部の他方（図２、図３では凹部）と、上記の凸部と嵌合した状態で凸部を固定するためのネジ穴および固定ネジ２２ｂを有する。凹部の内面は、第１基準面１６ｐ１と当接可能な第３基準面２２ｐ１と、第２基準面１６ｐ２と当接可能な第４基準面２２ｐ２とを有する。
【００３８】
複数の電極２２ａは、被保持部１６が保持部２２に保持された状態で、被保持部１６の電極１６ａに接続され、照明器具２０から領域表示装置１０へのＩＤつまり照明器具２０を識別する識別情報の送信に用いられる。
【００３９】
第３基準面２２ｐ１は、被保持部１６が保持部２２に保持された状態で、横方向基準面ｐ１に略平行な面である。ただし、図２、図３では、被保持部１６が保持部２２に保持された状態で、第３基準面２２ｐ１は横方向基準面ｐ１に含まれる。
【００４０】
第４基準面２２ｐ２は、被保持部１６が保持部２２に保持された状態で、奥行き方向基準面ｐ２と略平行な面である。ただし、図２、図３では、被保持部１６が保持部２２に保持された状態で、第４基準面２２ｐ２は奥行き方向基準面ｐ２に含まれる。
【００４１】
図２、図３に示すように、被保持部１６は、領域表示装置１０の光軸と照明器具２０の光軸とが一平面に含まれるように、保持部２２に固定される。また、被保持部１６は、領域表示装置１０の発光面と照明器具２０の発光面とが光軸方向の位置で一致するように、保持部２０に固定される。これにより、領域表示装置１０における照明領域の推定において、推定を容易にし、その精度を向上させることができる。
【００４２】
［照明装置の機能構成例］
次に、照明装置１の機能的な構成例について説明する。
【００４３】
図４は、実施の形態における照明装置１の構成例を示すブロック図である。同図のように、照明装置１は、照明器具２０と領域表示装置１０とを備える。
【００４４】
照明器具２０は、照明部２１、保持部２２および電源部２３を備える。
【００４５】
照明部２１は、投影式の照明を行う。照明部２１は、調光、調色などの機能に加えて、投影式なので文字や映像を含めて照明する機能を有する。
【００４６】
保持部２２は、図１および図２で既に説明した通りである。
【００４７】
電源部２３は、商用電源線に接続され、照明部２１に照明用の電力を供給する。電源部２３は領域表示装置１０とは別個の電源である。
【００４８】
領域表示装置１０は、受付部１１、測距部１２、メモリ１３、制御部１４、表示部１５、被保持部１６および電源部１７を備える。
【００４９】
受付部１１は、対象となる照明器具２０を識別する識別情報（図４中のＩＤ）、照明器具２０から照明対象面までの距離を示す距離データ、照明器具２０の特性を示すパラメータを受け付ける。受付部１１は、ユーザ操作部を有し、識別情報、距離データ、パラメータの何れであってもユーザ入力可能である。特に、仮設置時に、照明器具２０に電源線が接続されていない場合は、ユーザ入力が有用である。このユーザ入力では、受付部１１への手作業の直接入力だけでなく、外部メモリデバイスを用いた入力であってもよい。例えば、ユーザは、識別情報、距離データ、パラメータの少なくとも１つが書き込まれたＵＳＢ（Universal Serial Bus）メモリなどの外部メモリデバイスを予め用意しておく。領域表示装置１０は、受付部１１へのユーザ指示に従って、当該外部メモリデバイスからメモリ１３に、識別情報、距離データ、パラメータの少なくとも１つを転送する。この場合、端末装置２００はＵＳＢインターフェースなど外部メモリデバイスを接続するインターフェースを備えていればよい。
【００５０】
例えば、識別情報は、ユーザ操作により受付部１１に入力される、または、対象となる照明器具２０から保持部２２の電極２２ａおよび被保持部１６の電極１６ａを介して受付部１１に入力される。距離データは、ユーザ操作により受付部１１に入力される、または、測距部１２から受付部１１に入力される。パラメータは、ユーザ操作により受付部１１に入力可能であるが、メモリ１３に識別情報に対応するパラメータが記憶されている場合は受付部１１に入力される必要がない。ユーザ操作によって、パラメータとともに新たな識別情報が入力された場合は、当該パラメータは識別情報に対応させてメモリ１３に記憶される。
【００５１】
測距部１２は、図２、図３で既に説明した通りである。
【００５２】
メモリ１３は、種類の異なる照明器具２０の識別情報と、当該照明器具の特性を示すパラメータとを対応させた照明器具データを記憶する。パラメータは、画角、あおり角およびアスペクト比の少なくとも１つを含む。図５は、メモリに記憶された照明器具データの例を示す図である。図５において、照明器具データｄ１は、識別情報（つまりＩＤ）０１００と、パラメータとして、画角データ、あおり角データおよびアスペクト比データとを含む。画角データは、照明器具２０の照明光の横方向（左右方向）に広がる角度を示す。あおり角は、照明器具２０の本体２０ａの底面又は上面を含む面と、照明光の光軸との角度（つまり仰角または俯角）を示す。アスペクト比は、照明領域の横サイズと縦サイズの比（例えば１６：９、４：３等）を示す。照明器具データｄ２〜ｄｎについても同様である。
【００５３】
制御部１４は、照明器具２０による照明対象面における照明領域を推定する推定部であり、さらに、推定した照明領域を照明対象面に投影により表示するように表示部１５を制御する。具体的には、制御部１４は、受付部１１に受け付けられた識別情報に対応するパラメータをメモリ１３から読み出し、読み出したパラメータと受付部１１に受け付けられた距離データとに基づいて、照明領域を推定する。もし、領域表示装置１０がパラメータ通りに投影すれば、照明器具２０の光軸と領域表示装置１０の光軸とのズレにより、領域表示装置１０の投影による表示領域と照明器具２０の照明領域とにズレが生じる。制御部１４は、距離データを用いて表示領域のズレを解消するように、表示領域を補正する。このとき、制御部１４は、ユーザ操作に従って台形補正も同時に行う。照明対象面と光軸とが９０度でないときに照明領域が台形になる歪みが生じる。台形補正は、照明光の光軸に垂直な光束の断面を、歪みを打ち消す逆台形にすることにより、照明対象面で照明領域を矩形にする補正をいう。台形補正は、縦方向の台形補正および横方向の台形補正を含む。制御部１４は、照明器具２０における台形補正を可能な範囲と、同じ範囲内で台形補正する。
【００５４】
表示部１５は、制御部１４の制御に従って、推定された照明領域を、投影することにより照明対象面に表示する。
【００５５】
被保持部１６は、図１〜図３を用いて既に説明した通りである。
【００５６】
電源部１７は、照明器具２０内の電源部２３とは独立した電源であり、領域表示装置１０の各部に電力を供給する。照明器具２０がオフ状態であっても領域表示装置１０は動作可能である。
【００５７】
［動作］
以上のように構成された実施の形態における領域表示装置１０および照明器具２０についてその動作例を説明する。ここでは、主に、照明器具２０の設置工事における領域表示装置１０の動作例について説明する。ここで、照明器具２０の設置工事において設定すべき照明領域は、図１に示した照明対象面の全面（つまり１つの壁の全面）であるものとする。
【００５８】
まず、領域表示装置１０は、保持部２２および被保持部１６を介して照明器具２０に固定される。次に、照明器具２０の電源配線が未完了で照明器具２０の電源投入できない場合には、受付部１１は、ユーザ（ここでは設置工事者）操作によって入力される照明器具２０のＩＤを受け付ける。また、照明器具２０の電源配線が完了していて照明器具２０の電源投入できる場合には、受付部１１は、対象となる照明器具２０から保持部２２の電極２２ａおよび被保持部１６の電極１５６ａを介して入力される照明器具２０のＩＤを受け付ける。
【００５９】
さらに制御部１４は、受付部１１に受け付けられたＩＤに対応するパラメータをメモリ１３から読み出す。このパラメータは、図５に示したように画角データ、あおり角データ、アスペクト比データの少なくとも１つを含む。
【００６０】
さらに、領域表示装置１０は、照明器具２０に固定された状態で、ユーザ（ここでは設置工事者）は、照明器具２０の設置角度も含めて仮設置位置を決定する。仮設置位置において測距部１２によって照明器具２０から照明対象面までの距離を測定する。距離の測定は受付部１１へのユーザの距離測定指示があったときになされる。制御部１４は上記のパラメータと測距部１２からの距離データとに基づいて、照明器具２０による照明領域を推定する。領域表示装置１０の表示部１５は、推定した照明領域を前記照明対象面に投影により表示する。ユーザはこの表示により仮設置位置が適切かどうかを判断する。
【００６１】
ユーザは、仮設置位置が不適切であると判断した場合は、再度、仮設置位置を決定し、距離測定指示をする。
【００６２】
また、ユーザは、仮設置位置が適切であると判断した場合は、当該仮設置位置を本設置位置と決定する。
【００６３】
本設置位置では、照明器具２０の天井等への取り付けおよび電源配線等がなされる。本設置位置において、さらに、設置位置、設置角度、台形補正等の微調整することにより、照明領域を照明対象面にぴったり合わせる。図１の例では、照明器具２０による照明領域と、１つの壁面全体（つまり照明対象面）とがぴったりと合うように微調整がなされる。
【００６４】
上記のように仮設置において領域表示装置１０が推定した照明領域を投影により照明対象面に表示する。これにより、仮設置の精度が大きく向上し、仮設置の失敗を防止することができる。さらに、本設置の微調整を容易にする。また、設置工事において、照明器具２０に電源線が接続される前の段階であっても、領域表示装置１０により適切な位置へ精度の高い仮設置を可能にする。
【００６５】
［他の構成例］
なお、照明装置１（つまり照明器具２０および領域表示装置１０）は、図４の構成例に限らない。
【００６６】
図６は、実施の形態における照明装置１の他の構成例を示すブロック図である。図６は、図４と比べて、電源部１７の代わりにバッテリ１７ａを備える点が異なっている。同じ点は説明を省略し、異なる点を中心に説明する。
【００６７】
バッテリ１７ａは、領域表示装置１０全体に電力を供給する。したがって、設置工事において領域表示装置１０に電源配線を通せない場合であっても、照明器具２０の仮設置をすることができる。
【００６８】
図７は、実施の形態における照明装置１（つまり照明器具２０および領域表示装置１０）のさらに他の構成例を示すブロック図である。図７は、図６と比べて、照明器具２０に測距部２４が追加されている点が異なる。領域表示装置１０は測距部１２を備えていなくてもよい。
【００６９】
測距部２４は、照明器具２０の仮設置に際して、測距部１２の代わりに、照明器具２０から照明対象面までの距離を測定する。照明器具２０におけるユーザの距離測定指示があったときになされる。測距部２４は、測定後に距離データを保持部２２の電極２２ａおよび被保持部１６の電極１５６ａを介して領域表示装置１０の受付部１１に通知する。
【００７０】
測距部２４は、領域表示装置１０の測距部１２と比べて、照明器具２０から照明対象面までの距離をより正確に測定することができる。
【００７１】
［変形例等］
以上、本発明に係る照明装置１（つまり照明器具２０および領域表示装置１０）について、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【００７２】
たとえば、領域表示装置１０は照明器具２０の上側または下側に保持されているが、これに限らない。領域表示装置１０は照明器具２０の側方に保持されてもよい。
【００７３】
また、保持部２２と被保持部１６は、凹部と凸部の形状でなくてもよい。領域表示装置１０の光軸と照明器具２０の光軸とが一平面に含まれるのであれば、保持部２２と被保持部１６の形状は問わない。
【００７４】
以上のように実施の形態に係る照明装置は、投影式の照明を行う照明器具２０と、照明器具２０による照明対象面における照明領域を推定し、推定した照明領域を照明対象面に投影により表示する領域表示装置１０と、照明器具２０に備えられた保持部２２と、領域表示装置１０に備えられ、保持部２２に着脱可能に保持される被保持部１６とを備える。
【００７５】
この構成によれば、高い精度を要求される照明器具の設置において作業を容易にし、作業時間を短縮することができる。
【００７６】
ここで、領域表示装置１０は、照明器具２０の画角、あおり角、およびアスペクト比の少なくとも１つと、照明器具２０から照明対象面までの距離とに基づいて照明領域を推定してもよい。
【００７７】
この構成によれば、照明器具の照明領域の推定をより正確にすることができる。
【００７８】
ここで、領域表示装置１０は、推定した照明領域を、被保持部１６が保持部２２に保持された状態で、投影することにより照明対象面に表示してもよい。
【００７９】
この構成によれば、照明器具の設置位置を精度良く決定することができる。
【００８０】
ここで、領域表示装置１０は、照明器具がオフ状態であっても照明装置とは異なる電源により動作する構成であってもよい。
【００８１】
この構成によれば、照明器具の電源が未配線であっても設置工事を進めることができる。
【００８２】
ここで、領域表示装置１０は、バッテリ１７ａを有し、バッテリ１７ａにより動作してもよい。
【００８３】
この構成によれば、照明器具の電源配線および領域表示装置の電源配線が未完成であっても設置工事を進めることができる。
【００８４】
ここで、被保持部１６は、領域表示装置１０の光軸と照明器具２０の光軸とが一平面に含まれるように、保持部２０に固定されてもよい。
【００８５】
この構成によれば、推定された照明領域のより正確に照明対象面に投影により表示することができる。
【００８６】
ここで、被保持部１６は、領域表示装置１０の光軸と照明器具２０の光軸とが一平面に含まれるように、保持部２２に固定されてもよい。
【００８７】
この構成によれば、領域表示装置を照明器具に容易に着脱することができる。
【００８８】
ここで、凸部の外面は、第１基準面１６ｐ１と第２基準面１６ｐ２とを含み、凹部の内面は、第１基準面１６ｐ１と当接可能な第３基準面２２ｐ１と、第２基準面１６ｐ２と当接可能な第４基準面２２ｐ２とを有し、第１基準面１６ｐ１および第３基準面２２ｐ１はそれぞれ、領域表示装置１０の光軸または照明器具２０の光軸と略平行であり、第２基準面１６ｐ２および第４基準面２２ｐ２はそれぞれ、領域表示装置１０の光軸および照明器具２０の光軸を含む平面と略垂直であってもよい。
【００８９】
この構成によれば、領域表示装置の光軸と照明器具の光軸とを容易に一平面に含ませることができる。
【００９０】
ここで、領域表示装置１０および照明器具２０の一方は、照明器具２０から照明対象面までの距離を測定する測距部１２または２２を備えてもよい。
【００９１】
この構成によれば、人が測定する場合と比べて、距離を正確に測定することができる。
【００９２】
ここで、測距部１２、２２は、レーザ光線を用いて距離を測定してもよい。
【００９３】
この構成によれば、測距部を簡単の回路構成にすることができる。
【００９４】
ここで、領域表示装置１０は、照明器具２０を識別する識別情報、および、照明器具２０から照明対象面までの距離を示す距離データを受け付ける受付部１１と、識別情報に対応させて、照明器具２０の特性を示すパラメータとして、画角、あおり角およびアスペクト比の少なくとも１つを記憶するメモリ１３と、受付部１１に受け付けられた識別情報に対応するパラメータをメモリ１３から読み出し、当該パラメータおよび受付部１１に受け付けられた距離データとに基づいて、照明領域を推定する推定部（つまり制御部１４）とを備えてもよい。
【００９５】
この構成によれば、照明器具の照明領域の推定をより正確にすることができる。
【００９６】
また、本実施の形態に係る領域表示装置は、照明器具２０による照明対象面における照明領域を推定する推定部（つまり制御部１４）と、推定された照明領域を照明対象面に投影により表示する表示部１５と、照明器具２０に備えられた保持部２２に着脱可能に保持される被保持部１６とを備える。
【００９７】
この構成によれば、高い精度を要求される照明器具の設置において作業を容易にし、作業時間を短縮することができる。
【００９８】
また、本実施の形態に係る照明器具は、投影による照明を行う照明部２１と、照明器具２０による照明対象面における照明領域を推定して当該照明領域を照明対象面に投影により表示する領域表示装置１０を、着脱可能に保持する保持部２２とを備え、照明器具２０を識別する識別情報を、保持部２２に保持された領域表示装置１０に通知する。
【００９９】
この構成によれば、高い精度を要求される照明器具の設置において作業を容易にし、作業時間を短縮することができる。
【符号の説明】
【０１００】
１  照明装置
１０  領域表示装置
１１  受付部
１２  測距部
１３  メモリ
１４  制御部（推定部）
１５  表示部
１６  被保持部
１６ｐ１  第１基準面
１６ｐ２  第２基準面
１７ａ  バッテリ
２０  照明器具
２２  保持部
２２ｂ  固定ネジ
２２ｐ１  第３基準面
２２ｐ２  第４基準面
【図１】
2016162694.tif 000003
【図２】
2016162694.tif 000004
【図３】
2016162694.tif 000005
【図４】
2016162694.tif 000006
【図５】
2016162694.tif 000007
【図６】
2016162694.tif 000008
【図７】
2016162694.tif 000009